(57)【要約】【課題】挿入損失が低く、ハンドリングに際してレンズ面を損傷することのないレンズ筐体を提供する。【解決手段】ピン孔１０ａ、一端面１０ｄに開口し、球レンズ１１を収納するレンズ孔１０ｂ及びレンズ孔に連通する光路孔１０ｃを有するレンズ筐体１０。レンズ１１の直径をＤＬとしたとき、レンズ孔１０ｂの直径ＤＬＨが次式で表わされる関係に設定されている。ＤＬ−０．５（μｍ）≦ＤＬＨ≦ＤＬ＋０．５（μｍ）【選択図】　　　図１
2004004432.tif 000002
【特許請求の範囲】
【請求項１】
ピン孔、一端面に開口し、レンズを収納するレンズ孔及び前記レンズ孔に連通する光路孔を有するレンズ筐体であって、前記レンズ孔は、前記レンズの直径をＤＬとしたとき、直径ＤＬＨが次式で表わされる関係に設定されていることを特徴とするレンズ筐体。
ＤＬ−０．５（μｍ）≦ＤＬＨ≦ＤＬ＋０．５（μｍ）
【請求項２】
前記ピン孔は、挿通されるピンの直径をＤＰとしたとき、その直径ＤＰＨが次式で表わされる関係に設定されている、請求項１のレンズ筐体。
ＤＰ−０．５（μｍ）≦ＤＰＨ≦ＤＰ＋０．５（μｍ）
【請求項３】
前記光路孔は、その直径ＤＬＰが前記レンズ孔の直径ＤＬＨよりも小さい、請求項１又は２のレンズ筐体。
【請求項４】
前記レンズ孔は、連続的に縮径するか、段状に縮径するかして、前記光路孔に連通する、請求項１乃至３のいずれかのレンズ筐体。
【請求項５】
前記レンズは、最外面を前記一端面よりも内側に配置して前記レンズ孔に収納される、請求項１乃至４のいずれかのレンズ筐体。
【請求項６】
前記光路孔が開口する端面が、光軸に垂直な面に対し６°以上１３°以下の角度に傾斜した平面である、請求項１乃至５のいずれかのレンズ筐体。
【請求項７】
前記光路孔が開口する端面に、前記光路孔の開口端面積を拡大する所定の深さの凹所が形成されている、請求項１乃至６のいずれかのレンズ筐体。
【請求項８】
前記レンズ孔が開口する端面に、突出部が形成されている、請求項１乃至７のいずれかのレンズ筐体。
【請求項９】
前記レンズ孔が開口する端面に、接着剤の注入部が形成されている、請求項１乃至８のいずれかのレンズ筐体。
【発明の詳細な説明】
【０００１】
【発明の属する技術分野】
本発明は、レンズ筐体に係り、特に光通信や光計測で使用される光モジュール用のレンズ筐体に関する。
【０００２】
【従来の技術】
ＭＴ（ｍｅｃｈａｎｉｃａｌｌｙ　ｔｒａｎｓｆｅｒａｂｌｅ）コネクタの接続方式を用いた光モジュール、例えば、図１５に示す光スイッチモジュール１は、ＭＴコネクタと同様な基本構造を有している。即ち、光スイッチモジュール１は、それぞれ１つずつの光ファイバ筐体３とレンズ筐体４とからなるユニットを２ユニット有している。
【０００３】
ここで、光ファイバ筐体３は、ガイドピン２を挿通する一対のピン孔３ａと２本の光ファイバ６とを有している。レンズ筐体４は、ガイドピン２を挿通する一対のピン孔４ａとレンズ孔４ｂに挿着されたレンズ７とを有している。そして、光ファイバ筐体３とレンズ筐体４とからなる１ユニットは、光ファイバ筐体３の光ファイバ６から出射された光を、レンズ筐体４のレンズ７を通して平行光にするコリメータ機能を有している。
【０００４】
光スイッチモジュール１は、上記ユニットを２つ使用して、図１５に示すように、ユニット間を所定距離に保持すると共に、一対のピン孔５ａと抜き差し自在なフィルタ８とを有するスペーサ５を配置し、２本のガイドピン２で、これらを位置決めして光スイッチを構成している。
【０００５】
このとき、両ユニットは、光ファイバ筐体３の光ファイバ６から出射された光が所定の光路を進むように、光ファイバ筐体３とレンズ筐体４とがサブミクロンの精度で位置決めされると共に、レンズ７が光の進行方向に沿ったレンズ筐体４の長手方向の所定位置に数ミクロンの精度で固定することにより、挿入損失を低く抑える必要がある。
【０００６】
【発明が解決しようとする課題】
ところで、光モジュール用のレンズ筐体は、小型で安価であることに加えて、以下の要件を具備することが求められる。
１）　挿入損失が低いこと。
２）　ハンドリングに際してレンズ面を損傷することがないこと。
３）　反射に起因した反射損失が可能な限り抑制されていること。
４）　光モジュールの部品点数並びに製造コストを低減し、光モジュールの組立作業性を向上できること。
【０００７】
本発明は上記の点に鑑みてなされたもので、挿入損失が低く、ハンドリングに際してレンズ面を損傷することのないレンズ筐体を提供することを第１の目的とする。
また、本発明は、反射の影響を可能な限り抑制したレンズ筐体を提供することを第２の目的とする。
【０００８】
更に、本発明は、光ジュールとして組み上げたときに、光モジュールの部品点数並びに製造コストを低減し、光モジュールの組立作業性を向上させることが可能なレンズ筐体を提供することを第３の目的とする。
【０００９】
【課題を解決するための手段】
本発明においては、上記目的を達成するため、ピン孔、一端面に開口し、レンズを収納するレンズ孔及び前記レンズ孔に連通する光路孔を有するレンズ筐体であって、前記レンズ孔は、前記レンズの直径をＤＬとしたとき、直径ＤＬＨが次式で表わされる関係に設定されている構成としたのである。
ＤＬ−０．５（μｍ）≦ＤＬＨ≦ＤＬ＋０．５（μｍ）
【００１０】
好ましくは、前記ピン孔は、挿通されるピンの直径をＤＰとしたとき、その直径ＤＰＨを次式で表わされる関係に設定する。
ＤＰ−０．５（μｍ）≦ＤＰＨ≦ＤＰ＋０．５（μｍ）
また好ましくは、前記光路孔は、その直径ＤＬＰを前記レンズ孔の直径ＤＬＨよりも小さくする。
【００１１】
更に好ましくは、前記レンズ孔は、連続的に縮径するか、段状に縮径するかして、前記光路孔に連通する構造とする。
好ましくは、前記レンズは、最外面を前記一端面よりも内側に配置して前記レンズ孔に収納する。
【００１２】
また好ましくは、前記光路孔が開口する端面を、光軸に垂直な面に対し６°以上１３°以下の角度に傾斜した平面とする。
また好ましくは、前記光路孔が開口する端面に、前記光路孔の開口端面積を拡大する所定の深さの凹所を形成する。
更に好ましくは、前記レンズ孔が開口する端面に、突出部を形成する。
好ましくは、前記レンズ孔が開口する端面に、接着剤の注入部を形成する。
【００１３】
【発明の実施の形態】
以下、本発明の実施形態を図面に基づいて詳細に説明する。
（第１の実施形態）
図１に示すように、本実施形態に係るレンズ筐体１０は、ガイドピン１３を挿通する一対のピン孔１０ａ、中央に形成され、球レンズ１１を収納するレンズ孔１０ｂ及びレンズ孔１０ｂに連通する光路孔１０ｃを有している。ここで、レンズ筐体１０は、図２（ａ）、（ｂ）に示すように、レンズ孔１０ｂが開口する面を前面１０ｄ、光路孔１０ｃが開口する面を後面１０ｅと呼ぶ。
【００１４】
このとき、レンズ筐体１０は、図１に示すように、球レンズ１１の直径をＤＬとしたとき、レンズ孔１０ｂの直径ＤＬＨを次式で表わされる関係に設定する。
ＤＬ−０．５（μｍ）≦ＤＬＨ≦ＤＬ＋０．５（μｍ）
【００１５】
また、レンズ筐体１０は、挿通するガイドピン１３の直径をＤＰとしたとき、ピン孔１０ａの直径ＤＰＨを次式で表わされる関係に設定する。
ＤＰ−０．５（μｍ）≦ＤＰＨ≦ＤＰ＋０．５（μｍ）
【００１６】
更に、レンズ筐体１０は、図２（ａ）、（ｂ）に示すように、光路孔１０ｃの直径ＤＬＰをレンズ孔１０ｂの直径ＤＬＨよりも小さく形成する。このとき、レンズ筐体１０は、図２（ａ）に示すように、レンズ孔１０ｂがテーパ部１０ｆを介して連続的に縮径して光路孔１０ｃに連通するように形成するか、或いはまた図２（ｂ）に示すように、レンズ孔１０ｂが段差部１０ｇを介して段状に縮径して光路孔１０ｃに連通するように形成する。これによって、レンズ筐体１０においては、球レンズ１１が、図２（ａ）、（ｂ）に示すように、テーパ部１０ｆや段差部１０ｇを介して縮径した光路孔１０ｃに位置決めされてレンズ孔１０ｂに挿着される。
【００１７】
このように設定することで、レンズ筐体１０は、一対のピン孔１０ａにガイドピンを挿通して図１５に示す光ファイバ筐体３と組み合わせ、光スイッチモジュール１に組み上げたときに、光ファイバ筐体３に対してサブミクロンの精度で位置決めされる。しかも、レンズ筐体１０は、テーパ部１０ｆ又は段差部１０ｇが形成されているので、球レンズ１１が光の進行方向に沿った長手方向の所定位置（テーパ部１０ｆ又は段差部１０ｇに接する位置）に数ミクロンの精度で固定される。このため、レンズ筐体１０は、図１５に示す光ファイバ筐体３と組み合わせ、光スイッチモジュール１に組み上げたときに、挿入損失を低く抑えることができる。
【００１８】
そして、球レンズ１１は、図２（ａ）、（ｂ）に示すように、最外面を前面１０ｄよりも距離Ｌだけ内側に配置してレンズ孔１０ｂに収納する。これにより、レンズ筐体１０は、ハンドリングに伴う球レンズ１１のレンズ面の損傷を回避することができる。従って、本実施形態に係るレンズ筐体１０は、前記第１の目的を達成することができる。
【００１９】
以下、本発明のレンズ筐体に係る他の実施形態について説明するが、以下の説明並びに説明で使用する図面において、レンズ筐体１０の各構成部分と対応する各構成部分には符号に同一のアルファベット付し、重複した説明を省略する。
【００２０】
（第２の実施形態）
図３に示すように、本実施形態に係るレンズ筐体１５は、光路孔１０ｃが開口する後面１５ｅを、球レンズ１１の中心を通る光軸Ａｏｐに垂直な面Ｆに対して角度θ＝６°〜１３°傾斜した平面とする。このように設定すると、レンズ筐体１５は、一対のピン孔１５ａにガイドピンを挿通して組み合わせる図１５に示す光ファイバ筐体３の端面も同じ傾斜の端面とする必要がある。
【００２１】
このため、レンズ筐体１５は、このような光ファイバ筐体３を用いて光スイッチモジュール１に組み上げたときに、光ファイバ端面も同じ角度に傾斜しているため、光ファイバを伝送されてくる信号光の端面反射の影響を効果的に抑えることができる。従って、本実施形態に係るレンズ筐体１５は、反射の影響を可能な限り抑制することができる。即ち、前記第２の目的を達成することができる。
【００２２】
このとき、レンズ筐体１５は、反射の影響を抑制するためには、球レンズ１１の表面に反射防止コーティングを施すとよい。但し、球レンズ１１は、数ｍｍ程度と微細なことから、レンズ筐体１５に組み込む前の単体に反射防止コーティングを施すことは難しく、コスト高にもなる。このため、球レンズ１１を組み込んだ完成品としてのレンズ筐体１５の状態で行うことにより、容易、かつ、安価に反射防止コーティングを施すことができる。
【００２３】
ここで、光モジュール用の反射防止コーティングは、高透過率であることが要求される。このため、レンズ筐体１５は、球レンズ１１の表面に五酸化タンタル（Ｔａ２Ｏ５）と酸化ケイ素（ＳｉＯ２）の積層膜、二酸化チタン（ＴｉＯ２）と酸化ケイ素（ＳｉＯ２）の積層膜からなる反射防止コーティングを施す。このようなコーティングを施すと、レンズ筐体１５は、球レンズ１１の表面における光の反射、従って反射損失を極めて小さく抑えることができる。
【００２４】
（第３の実施形態）
図４に示すように、本実施形態に係るレンズ筐体２０は、レンズ孔２０ｂが開口する前面２０ｄの両側に、突出部２０ｈが形成されている。
レンズ筐体２０は、図５に示すように、一対のピン孔２０ａにガイドピン１３を挿通して図１５に示す光ファイバ筐体３と組み合わせ、光スイッチモジュール１に組み上げられる。図５に示す光スイッチモジュール１は、突出部２０ｈを有するレンズ筐体２０を使用したことから、図１５に示す光スイッチモジュール１と異なりスペーサ５が不要となる。
【００２５】
従って、本実施形態に係るレンズ筐体２０は、光ジュールとして組み上げたときに、光モジュールの部品点数並びに製造コストを低減し、光モジュールの組立作業性を向上させるという前記第３の目的を達成することができる。
【００２６】
なお、本実施形態に係るレンズ筐体２０は、図１５に示す光ファイバ筐体３と組み合わせることもできるが、これに限定されず別の光ファイバ筐体と組み合わせて使用することもできる。例えば、図１５の光ファイバ筐体３は、２本の光ファイバ６が一対のガイドピン１３間にガイドピン１３の並び方向と同じ方向に並設されるが（図５参照）、２本の光ファイバをガイドピンの並び方向に垂直な方向に並設した光ファイバ筐体にも適用可能である。
【００２７】
（第４の実施形態）
図６に示すように、本実施形態に係るレンズ筐体２５は、レンズ孔２５ｂが開口する前面２５ｄに、接着剤の注入溝２５ｉが形成されている。この注入溝２５ｉは、レンズ孔２５ｂに球レンズ１１を固定する最適な手段として接着剤Ａｄで接着固定するときに利用する。
【００２８】
即ち、図７（ａ）に示すように、注入溝２５ｉを利用して球レンズ１１を挿入したレンズ孔２５ｂに適量の接着剤Ａｄを流し込む。すると、接着剤Ａｄは、球レンズ１１の外周に沿って流れ、図７（ｂ）に示すように、球レンズ１１の外周を取り囲み、中央に光の通過部を形成する。これにより、図８に示すように、球レンズ１１は、接着剤Ａｄによってレンズ孔２５ｂの周囲に接着固定される。
【００２９】
このとき、注入溝２５ｉは、幅をＷ、深さをＤＰＴとし、レンズ孔２５ｂの直径ＤＬＨすると、次式で表わされる寸法に設定する。
０．２ｍｍ≦Ｗ≦ＤＬＨ
０．２ｍｍ≦ＤＰＴ≦０．９×ＤＬＨ
【００３０】
このように設定すると、レンズ筐体２５は、球レンズ１１をレンズ孔２５ｂに接着固定する接着剤Ａｄが、球レンズ１１中央の光の通過部を遮ることがなく、簡単に接着作業を行うことができる。
【００３１】
このとき、粘度が１０００〜６０００ｍＰａ・ｓｅｃの接着剤を用いると、注入溝２５ｉへの接着剤の滴下作業や流し込み作業を簡単に実行することができ、レンズ筐体２５の組立性が一層向上する。このような粘度を有する接着剤としては、例えば光学部品用の２液系エポキシ接着剤を使用することができる。
従って、本実施形態に係るレンズ筐体２５は、前記第３の目的を達成することができる。
【００３２】
（第５の実施形態）
図９に示すように、本実施形態に係るレンズ筐体３０は、複数のレンズ孔３０ｂ（図９に示す事例では４つのレンズ孔を有している）が設けられている。このようなレンズ筐体３０は、多段ＭＴコネクタと同様な接続方式を用いた構造の光ファイバ筐体３２を利用し、この光ファイバ筐体３２と組み合わせることによってコリメータアレイを構成させることができる。
【００３３】
このようなレンズ筐体３０及び光ファイバ筐体３２を組み合わせると、コリメータ組立において、調芯作業が不要であり、且つ一括で位置決めが可能になる。従って、本実施形態に係るレンズ筐体３０は、前記第３の目的を達成することができる。
【００３４】
なお、図９に示すレンズ筐体３０、及び各レンズ孔３０ｂ、各ピン孔３０ａ等は、第１〜第３の実施形態の場合と同様に形成させることができる。レンズ筐体３０の各レンズ孔３０ｂには球レンズ１１が嵌装して収納される。そして、光ファイバ筐体３２には、この各球レンズ１１に対向する位置に、フラットケーブル３４のそれぞれの光ファイバ３５が配置される。符号３０ａ、３２ａは一対のピン孔であり、ピン孔３０ａ、３２ａにガイドピン１３を挿入することによって自動調芯と一括位置決めがなされる。
【００３５】
また、レンズ筐体３０と組み合わせる光ファイバ筐体３２は、図９の光ファイバ筐体３２の端面を見て、上下に並設される２つの光ファイバ３５の組がピン孔３２ａ間に４組配設されているが、これに限定されず、図１０に示すように、左右方向に並設される２つの光ファイバ３５の組がピン孔３２ａ間に４組配設されている光ファイバ筐体３２‘と組み合わせて使用することもできる。
【００３６】
（第６の実施形態）
第２の実施形態において、レンズ筐体１５の後面１５ｅを傾斜させ、光ファイバ筐体を用いて光スイッチモジュールに組み上げたとき、光ファイバを伝送されてくる信号光の端面反射の影響を抑えることについて説明した際に、更に反射の影響を抑制するためには、球レンズ１１の表面に反射防止コーティングを施すことが好ましいと述べた。
【００３７】
こうした球レンズ１１の表面への反射防止コーティングは、第２の実施形態の場合のみならず、他の実施形態の場合にも当然に適用できる。例えば第１の実施形態に適用した場合には、図１１に示されるようになる。即ち、レンズ筐体１０のレンズ孔１０ｂに嵌装して収納された球レンズ１１において、そのレンズ孔１０ｂの開口端側の表面及び光路孔１０ｃの開口端側の表面にそれぞれ反射防止膜３８、３９がコーティングされている。
【００３８】
ところで、この反射防止コーティングは、前述したように、球レンズ１１をレンズ筐体１０に収納した後、イオン蒸着法を用いて行われる。即ち、レンズ筐体１０の前面１０ｄ側からレンズ孔１０ｂを介して球レンズ１１の一方の露出した表面に蒸着を行い、反射防止膜３８を形成し、また後面１０ｅ側から光路孔１０ｃを介して球レンズ１１の他方の露出した表面に蒸着を行い、反射防止膜３９を形成する。
【００３９】
このとき、レンズ孔１０ｂの直径ＤＬＨは、球レンズ１１の直径ＤＬと略同等であり、比較的大きい。また、前面１０ｄから球レンズ１１の最外面に到る距離Ｌは、ハンドリングの際の球レンズ１１のレンズ面の損傷を回避するに足りるものであればよく、比較的短い。このため、前面１０ｄ側からの反射防止コーティングは比較的容易であって、球レンズ１１の表面に形成される反射防止膜３８は、所望の膜厚を十分な広がりをもって均一に有する良好なものとなる。
【００４０】
これに対して、光路孔１０ｃの直径はレンズ孔１０ｂのそれよりも小さい。また、レンズ筐体１０を図１５に示す光ファイバ筐体３と組み合わせて光スイッチモジュール１に組み上げる場合、光ファイバ６との適正な光学的な結合を確保するために、後面１０ｅから球レンズ１１の最外面に到る距離は、比較的長くなっている。
【００４１】
即ち、後面１０ｅ側から反射防止コーティングを行う際には、小さい径の光路孔１０ｃを通り比較的長い距離にある球レンズ１１の表面に向かって蒸着することになる。その結果、蒸着物質の到達性が悪化して、球レンズ１１の表面に形成される反射防止膜３９は、膜厚が不足したり、十分な広がりが確保されなかったり、膜厚が不均一になったりする場合があった。従って、光スイッチモジュール１における信号光の反射特性が損なわれる恐れがあった。
【００４２】
このため、本実施形態では、図１２に示すような構造を採用する。即ち、本実施形態に係るレンズ筐体４０は、後面１０ｅに光路孔１０ｃの開口端面積を拡大する所定の深さの凹所４０ｊを設けている。このため、凹所４０ｊの深さを調整すれば、その底面４０ｋから球レンズ１１の最外面に到る距離を所望の短さにすることができる。
【００４３】
従って、後面１０ｅ側から反射防止コーティングを行う場合にも、蒸着物質の到達性が改善され、球レンズ１１の表面に形成される反射防止膜３９は、反射防止膜３８と同様に、所望の膜厚を十分な広がりをもって均一に有することができる。その結果、光スイッチモジュール１における信号光の良好な反射特性を得ることができ、前記第２の目的を達成することができる。
【００４４】
なお、この凹所４０ｊは、図１３（ａ）、（ｂ）に示すように、円形状であってもよいし、正方形状であってもよい。また、図示は省略するが、その他種々の形状をとることも勿論可能である。
【００４５】
（第７の実施形態）
図１４に示すように、本実施形態に係るレンズ筐体４５は、複数の光路孔４５ｃ（図１４に示す事例では４つの光路孔を有している）が設けられている。これらの光路孔４５ｃの周囲の後面４５ｅには、１つの長方形状の凹所４５ｊが所定の深さに設けられている。
【００４６】
このようなレンズ筐体４５は、多段ＭＴコネクタと同様な接続方式を用いた構造の光ファイバ筐体、例えば図９に示す光ファイバ筐体３２を利用し、この光ファイバ筐体３２と組み合わせることによってコリメータアレイを構成させることができる。
【００４７】
従って、本実施形態に係るレンズ筐体４５は、第５及び第６の実施形態に係るレンズ筐体３０、４０を組み合わせたものであり、前記第２及び第３の目的を達成することができる。
【００４８】
なお、図１４における光ファイバ筐体３２の代わりに、図１０に示す光ファイバ筐体３２‘を用い、レンズ筐体４５と光ファイバ筐体３２‘とを組み合わせることによってコリメータアレイを構成させることも可能である。
【００４９】
ところで、上記した第１〜第７の実施形態において、レンズ筐体１０、１５、２０、２５、３０、４０、４５は、金型による樹脂成形が最も安価な製造手段である。しかし、合成樹脂は、弾性体として伸び易いため、外力によって変形し易い素材は使用できない。このため、用いる合成樹脂は、以下の弾性率Ｅを有するものを使用することが望ましい。
１００００ＭＰａ≦Ｅ≦３００００ＭＰａ
【００５０】
また、環境温度の変化に伴う膨張・収縮に起因したレンズ筐体や球レンズの寸法変化量の差に基づく、レンズ筐体と球レンズとの間の位置ずれを抑制し、光学特性の変動が少ないレンズ筐体を提供するためには、レンズ筐体及び球レンズは以下の特性を有する素材を使用することが好ましい。
【００５１】
即ち、レンズ筐体１０、１５、…、４５及び球レンズ１１は、ガラス転位温度Ｔｇ、ガラス転位温度Ｔｇ以下における線膨張係数α１及びレンズの線膨張係数αが以下の範囲のものを使用する。
９０℃≦Ｔｇ
５×１０−６／℃≦α１≦２５×１０−６／℃
３×１０−６／℃≦α≦２５×１０−６／℃
【００５２】
具体的には、レンズ筐体１０、１５、…、４５は、フィラー充填率が７５％以上の熱硬化性エポキシ樹脂（１２０℃≦Ｔｇ、α１＝６〜１５×１０−６／℃）、フィラー充填率が７５％以上の熱可塑性ポリフェニレンスルフィド（ＰＰＳ）（９０℃≦Ｔｇ、α１＝約２０×１０−６／℃）等の合成樹脂を使用する。球レンズ１１は、硼珪酸ガラス（約７×１０−６／℃）を用いる。
【００５３】
このような材料を使用することにより、一般的な環境温度変化時の保証温度である８５℃以下（Ｔｅｌｃｏｒｄｉａ光接続部品規格：　旧Ｂｅｌｌｃｏｒｅ規格）における、温度変化による各材料の膨張・収縮に起因した寸法変化量の差が極めて小さくなる。この結果、レンズ筐体１０、１５、…、４５は、温度変化に伴う光学特性の影響を最小に抑えることができる。
【００５４】
【発明の効果】
請求項１乃至５の発明によれば、挿入損失が低く、ハンドリングに際してレンズ面を損傷することのないレンズ筐体を提供することができる。
請求項６及び７の発明によれば、前記効果に加え、反射の影響を可能な限り抑制したレンズ筐体を提供することができる。
【００５５】
請求項８の発明によれば、前記効果に加え、光ジュールとして組み上げたときに、光モジュールの部品点数並びに製造コストを低減し、光モジュールの組立作業性を向上させることができる。
請求項９の発明によれば、前記効果に加え、光モジュールの組立作業性を向上させることができる。
【図面の簡単な説明】
【図１】本発明の第１の実施形態に係るレンズ筐体を示す斜視図である。
【図２】図１のレンズ筐体におけるレンズ孔の形状の例を示すもので、レンズ孔の中心に沿って切断した断面図である。
【図３】本発明の第２の実施形態に係るレンズ筐体を示す断面図である。
【図４】発明の第３の実施形態に係るレンズ筐体を示す斜視図である。
【図５】図４のレンズ筐体を用いた光モジュールの一例を示す断面図である。
【図６】発明の第４の実施形態に係るレンズ筐体を示す斜視図である。
【図７】図６のレンズ筐体において、注入部を利用して接着剤をレンズ孔に流し込む様子を示す正面図である。
【図８】図６のレンズ筐体において、注入部を利用して接着剤をレンズ孔に流し込んだ状態の断面図である。
【図９】発明の第５の実施形態に係るレンズ筐体を示し、併せてレンズ筐体に組み合わせて使用される光ファイバ筐体を示す斜視図である。
【図１０】図９に示すレンズ筐体に組み合わせて使用される光ファイバ筐体の変形例を示す斜視図である。
【図１１】図１のレンズ筐体における球レンズの表面に反射防止コーティングを施した状態を示す断面図である。
【図１２】発明の第６の実施形態に係るレンズ筐体を示す断面図である。
【図１３】図１２のレンズ筐体における凹所の形状の例を示す斜視図である。
【図１４】発明の第７の実施形態に係るレンズ筐体を示し、併せてレンズ筐体に組み合わせて使用される光ファイバ筐体を示す斜視図である。
【図１５】従来のレンズ筐体を光モジュールと共に示す断面図である。
【符号の説明】
３　　　　　　光ファイバ筐体
３ａ　　　　　ピン孔
６　　　　　　光ファイバ
１０、１５、２０、２５、３０、４０、４５　　　　　　レンズ筐体
１０ａ、２０ａ、２５ａ、３０ａ、４０ａ、４５ａ　　　ピン孔
１０ｂ、１５ｂ、２０ｂ、２５ｂ、３０ｂ、４０ｂ　　　レンズ孔
１０ｃ、１５ｃ、２０ｃ、２５ｃ、４０ｃ、４５ｃ　　　光路孔
１０ｄ、２０ｄ、２５ｄ、４０ｄ　　　　　　　　　　　前面
１０ｅ、４０ｅ、４５ｅ　　　　　　　　　　　　　　　後面
１０ｆ、２０ｆ、２５ｆ、４０ｆ　　　　　　　　　　　テーパ部
１０ｇ　　　　段差部
１１　　　　　球レンズ
１３　　　　　ガイドピン
２０ｈ　　　　突出部
２５ｉ　　　　注入溝
３２、３２’　　　　　　　光ファイバ筐体
３２ａ　　　　ピン孔
３４　　　　　フラットケーブル
３５　　　　　光ファイバ
３８、３９　　　　　　　　反射防止膜
４０ｊ、４５ｊ　　　　　　凹所
Ａｄ　　　　　　接着剤
Ａｏｐ　　　　　光軸
Ｆ　　　　　　光軸に垂直な面
【図１】
2004004432.tif 000003
【図２】
2004004432.tif 000004
【図３】
2004004432.tif 000005
【図４】
2004004432.tif 000006
【図５】
2004004432.tif 000007
【図６】
2004004432.tif 000008
【図７】
2004004432.tif 000009
【図８】
2004004432.tif 000010
【図９】
2004004432.tif 000011
【図１０】
2004004432.tif 000012
【図１１】
2004004432.tif 000013
【図１２】
2004004432.tif 000014
【図１３】
2004004432.tif 000015
【図１４】
2004004432.tif 000016
【図１５】
2004004432.tif 000017